(57)【要約】【課題】  ブラジャーをオーダーメイドする為に着用した際の着用感を確認することが出来る計測機能を備えたブラジャーであって、複数の部位の組合せで構成し、あらゆる体形の計測を可能とし、実際と同じ着用感を得ることが出来る計測機能を備えたブラジャーの提供。【解決手段】  ブラジャーはカップ受部４の両側にカップ部５ａ，５ｂを有すフロント部１と該フロント部１の両側にはファスナー等の連結手段を介して連結すると共に伸縮可能な生地から成るバック部２ａ，２ｂ、そして一方のバック部２ａの先端にはフックを設けると共に他方のバック部先端にはアイ２１を設け、カップ部４ａ，４ｂの上端とバック部２ａ，２ｂとを伸縮可能な肩ストラップ３ａ，３ｂにて連結し、更に上記ファスナー等の連結手段をバック部２ａ、２ｂに一定間隔をおいて縫着した複数枚の連結片１０，１１，１２・・を介して設けている。【選択図】    図３
2007056423.tif 000002
【特許請求の範囲】
【請求項１】
ブラジャーをオーダーメイドする為に着用した際の着用感を確認することが出来る計測機能を備えたブラジャーにおいて、該ブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、更に上記ファスナー等の連結手段をバック部に一定間隔をおいて縫製した複数の連結片を介して設けたことを特徴とする計測機能を備えたブラジャー。
【請求項２】
ブラジャーをオーダーメイドする為に着用した際の着用感を確認することが出来る計測機能を備えたブラジャーにおいて、該ブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、更に上記ファスナー等の連結手段をフロント部に一定間隔をおいて縫製した複数の連結片を介して設けたことを特徴とする計測機能を備えたブラジャー。
【請求項３】
ブラジャーをオーダーメイドする為に着用した際の着用感を確認する体形の計測方法において、
計測用ブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、更に上記ファスナー等の連結手段をバック部に一定間隔をおいて縫製した複数の連結片を介して設けたもので、
上記フロント部、両バック部を選択して組合わせ、又バック部に縫着した複数の連結片の縁に設けたファスナー等の連結手段を選択することでブラジャーの着用感を確認可能としたことを特徴とする体形の計測方法。
【請求項４】
ブラジャーをオーダーメイドする為に着用した際の着用感を確認する体形の計測方法において、
計測用ブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、更に上記ファスナー等の連結手段をフロント部に一定間隔をおいて縫製した複数の連結片を介して設けたもので、
上記フロント部、両バック部を選択して組合わせ、又バック部に縫着した複数の連結片の縁に設けたファスナー等の連結手段を選択することでブラジャーの着用感を確認可能としたことを特徴とする体形の計測方法。
【発明の詳細な説明】
【技術分野】
【０００１】
本発明は身体に完全フィットする着用感が得られるブラジャーをオーダーメイドする為の計測方法、及び計測に際して用いるブラジャーに関するものである。
【背景技術】
【０００２】
ブラジャーはバストを理想的な形状に整え、垂下がりを防止する為に着用され、今日では多種多様化したブラジャーが市販されている。女性はこれらのブラジャーの中から自分の身体にフィットするものを選択して購入しているが、完全にフィットするブラジャーを見つけ出すことは容易でない。バストの大きさ、形、胸囲のサイズなど、個々の人にとって夫々異なっている為に、何れかを基準に合わせることで、他の箇所が合わないことになる。
【０００３】
身体にフィットしないブラジャーを着用するならば、ブラジャーとしての目的を達成することが出来ず、適度なフィット感が得られずして不快感が残ってしまう。特に、サイズの小さなブラジャーを着用するならば、圧迫による苦痛を感じ、血流が悪くなり、身体にも悪影響を及ぼす。
【０００４】
ブラジャーにおけるカップ部のフィット感は、バスト下縁の半円状の輪郭線(バージスライン)の曲率(バージスサイズ)とカップ高さによって異なるもので、このバージスサイズとカップ高さとの組合せは各個人により様々である。従って、両者の組合せを種々に変えたブラジャーが用意されていない為に、市販されているブラジャーにて完全なフィット感は得られないのが実状である。
【０００５】
又、バック部の寸法は、トップバスト及びアンダーバストのフィット性に左右される為に、体の個々の寸法にフィットするブラジャーを前以て準備することは不可能であり、夫々の人に合わせてオーダーメイドすることが必要となる。特開２００２−２１２８２３号に係る「カップ部を有する衣類のオーダーメイド用計測サンプル及びオーダーメイド方式」は、従来技術の１つである。
【０００６】
この「カップ部を有する衣類のオーダーメイド用計測サンプル及びオーダーメイド方式」とは、バージスサイズを変えた複数のカップ受部と、１つのバージスサイズにおいてカップ高さを変えた複数のカップ部とを有し、カップ受部に対してカップ部を着脱可能に設けてオーダーメイド用計測サンプルとする。さらに１つのカップ受部において寸法の異なる複数のバック部を付加し、カップ受部に対してカップ部及びバック部を着脱可能に設けたオーダーメイド用計測サンプルとし、このオーダーメイド用計測サンプルを用いて顧客のカスタムサイズを計測することによりカップ部を有す衣類を製造することが出来る。
【０００７】
ところで、オーダーメイド計測サンプルでは、カップ受部に対してカップ部を着脱可能に設けた構造と成っているが、この接続部分に僅かなズレが発生してもカップの容量が変化してしまう。ブラジャーにおいてカップ部が最も重要であり、このカップ部の位置及びカップサイズを定めることが必要である。上記オーダーメイド計測サンプルでは、接続部分に面ファスナー(粘着テープ)が使用されているが、該面ファスナーでは取付けたカップ部の位置ズレ及び伸びが発生してカップ容量が変化してしまう。
【０００８】
又、バック部の寸法調節にも問題がある。すなわち、カップ受部の連結部と連結する為にカギホックのフックが設けられ、そして左右のバック部の先端部には互いに係止して連結することが出来るようにカギホックのフック及び複数列のアイが縫着されている。バック部には少なくとも長手方向へ伸縮性を有す織布が用いられている。
【０００９】
そして、１つのカップ受部において寸法の異なる複数のバック部を付加した組合せ形態と成っている。従って、カップ受部、カップ部、及び２つのバック部との組合せで構成しているが、これらを体型に合わせて選択することは面倒であり、計測作業に時間を要する。
【特許文献１】特開２００２−２１２８２３号に係る「カップ部を有する衣類のオーダーメイド用計測サンプル及びオーダーメイド方式」
【発明の開示】
【発明が解決しようとする課題】
【００１０】
このように、従来の計測サンプルには上記のごとき問題がある。本発明が解決しようとする課題はこれら問題点であり、より少ない組み合わせピースにて体形に完全フィットすることが出来て、実際の着用感を得ることが出来る計測機能を備えたブラジャーを提供する。又、該ブラジャーを用いての体形の計測方法を提供する。
【課題を解決するための手段】
【００１１】
本発明に係る計測機能を備えたブラジャーは、ブラジャーフロント部と左右のバック部、及びストラップで構成し、これらの各ピースは互いに連結してブラジャーとして組合わすことが出来るように構成している。フロント部はカップ部とカップ受部とが一体化した形態とし、両側にはファスナーなどの連結手段が設けられてバック部が連結される。
【００１２】
一方側バック部の先端にはフックが設けられ、他方側バック部の先端部にはアイが複数列を成して設けられている。上記フロント部の両側に連結手段を介して連結したバック部は先端のフックとアイとが互いに係止することで連結される。ところで、本発明ではバック部を交換することなく、該バック部には複数の連結片を一定間隔をおいて縫着すると共に該連結片の縁にファスナーなどの連結手段を取付けた構造としている。
【００１３】
そこで、適当な連結片を選択することで先端の連結手段を介してフロント部に連結される。そして、ストラップはその長さを調整可能とし、カップ上部とバック部に連結されるが、バック部の上縁には複数の係止部が所定の間隔をおいて設けられ、該係止部にストラップ先端に取付けたカギが係止することが出来る。同じく、カップ上部にも係止部が設けられ、ストラップのカギが係止して連結される。
【発明の効果】
【００１４】
本発明に係る計測機能を備えたブラジャーは、ブラジャーフロント部と左右のバック部、及びストラップの組合せで構成している為に、体形に合って実際の着用感と同じブラジャーを作り上げることが出来る。そしてブラジャーフロント部はカップ部とカップ受部とが一体化されている為に、カップ受部に対するカップ部の位置ズレはなく、適度なサイズのフロント部を選択することでバストを包み込む着用感は実際のブラジャーと同じになる。
【００１５】
また、バック部には複数の連結片が所定の間隔をおいて配列して取付けられ、該連結片の縁に取付けた連結手段を介してフロント部に連結される。従って、対を成す１組のバック部を使用するが、連結片を適度に選択してフロント部と連結することで、体型に合ったバック部を計測することが可能と成る。そして、複数枚の連結片を小さなピッチで縫付けることで、バック部に直接連結手段を設ける場合に比較して僅かな調整が可能と成る。
【実施例】
【００１６】
図１、図２は本発明に係る計測機能を備えたブラジャーを着用した場合であり、図１は正面からの状態図、図２は背面からの状態図を各々示している。ブラジャーとしての基本的な形態は従来のものと同じであり、フロント部１の両側にはバック部２，２が延びて先端は互いに連結し、フロント部１とバック部２，２とは肩ストラップ３，３にて連結している。
【００１７】
本発明は該ブラジャーを着用するに当って、体にフィットするようにフロント部１と両バック部２，２を適当に組合わせて着用感を確かめることが出来るメジャーである。勿論、圧迫感や痛みがないように、そしてバストが美しく見えるように組合され、これを基にしてその人の体型に合う専用ブラジャーをオーダーメイドすることが出来る。
【００１８】
図３は本発明の計測機能を備えたブラジャーを分離して、フロント部１、バック部２ａ，２ｂ、肩ストラップ３ａ，３ｂを示している。上記フロント部１はカップ受部４に両カップ部５ａ、５ｂが設けられ、カップ部５ａ，５ｂとカップ受部４の境界であるバージスライン６ａ，６ｂにはワイヤー(図示なし)が取付けられている。ワイヤーをバージスライン６ａ，６ｂに設けることで、カップ部５ａ，５ｂの形状及び大きさが定まる。
【００１９】
ところで、フロント部１はバージスサイズを変えたカップ受部４と、特定のバージスサイズにおいてカップ高さを変えたカップ部５ａ，５ｂとの組合わせで構成され、数多くのサイズで構成されるフロント部１を準備している。そしてフロント部１の両側には連結部７ａ，７ｂが設けられ、該連結部７ａ，７ｂの内側には連結手段となる複数のフック８ａ，８ａ・・、及び８ｂ，８ｂ・・が等間隔で取付けられている。
【００２０】
一方のバック部２ａ，２ｂには連結手段と成る複数のアイ９ａ，９ａ・・及び９ｂ，９ｂ・・が等間隔で設けられている。これらアイ９ａ，９ａ・・がフロント部１の連結部７ａに取付けているフック８ａ，８ａ・・に係止することでバック部２ａが連結される。同じく、アイ９ｂ，９ｂ・・がフロント部１の連結部７ｂに取付けているフック８ｂ，８ｂ・・に係止することでバック部２ｂが連結される。
【００２１】
図４はバック部２ａの詳細図であり、フロント部１との連結側には複数枚の連結片１０ａ，１１ａ，１２ａ，１３ａ，１４ａが所定の間隔(ピッチＰ)で縫い付けられている。バック部２ａは伸縮可能な生地から成っているが、上記連結片１０ａ，１１ａ，１２ａ，１３ａ，１４ａは伸縮しない丈夫な生地が使用され、これら連結片１０ａ，１１ａ，１２ａ，１３ａ，１４ａにはフックが係止するアイ９ａ，９ａ，９ａ・・が等間隔で取付けられている。
【００２２】
そして、各連結片１０ａ，１１ａ，１２ａ，１３ａ，１４ａの上部にはナンバー生地１５ａ，１６ａ，１７ａ，１８ａ、１９ａが縫い付けられ、該ナンバー生地１５ａ，１６ａ，１７ａ，１８ａ，１９ａには所定のナンバー１，２，３，４，５が記入されている。勿論、１，２，３・・のような番号でなく、順番が分かる記号であればよい。
【００２３】
本発明では、一定間隔で取付けたアイ９ａ，９ａ・・を、所定のピッチＰ，Ｐ・・にて直接バック部２ａに複数列配列することなく、複数枚の連結片１０ａ，１１ａ，１２ａ，１３ａ，１４ａにアイ９ａ，９ａ，９ａ・・を取付けた構造と成っている。バック部２ａに一連のアイ９ａ，９ａ・・を小さなピッチＰ，Ｐ・・にて複数列配列することは出来ないが、複数枚の連結片１０ａ，１１ａ，１２ａ，１３ａ，１４ａを使用することで互いに重なり合うことが出来、小さなピッチＰ，Ｐ・・にて配列可能と成る。
【００２４】
そこで、本発明では適当な連結片を選んでアイ９ａ，９ａ，９ａ・・をフロント部１の連結部７ａに取付けているフック８ａ，８ａ，８ａ・・に係止することが出来る。同じように、他方のバック部２ｂにも複数枚の連結片１０ｂ，１１ｂ，１２ｂ，１３ｂ，１４ｂが一定ピッチＰ，Ｐ・・にて縫い付けられており、これら各連結片１０ｂ，１１ｂ，１２ｂ，１３ｂ，１４ｂにはアイ９ｂ，９ｂ，９ｂ・・が取付けられている。
【００２５】
そこで、適当な連結片を選んでアイ９ｂ、９ｂ・・をフロント部１の連結部７ｂに取付けているフック８ｂ，８ｂ，８ｂ・・に係止することが出来る。このように、フロント部１の両側には適当な長さをしたバック部２ａ，２ｂが連結される。
【００２６】
両バック部２ａ，２ｂをフロント部１に適当な連結片１０，１１，１２、・・を介して連結することで、その時の着用感を確かめることが出来る。バック部２ａ，２ｂに設けている５枚の連結片１０ａ，１１ａ，１２ａ・・、１０ｂ，１１ｂ，１２ｂ・・の内、圧迫感が強い場合には最先端の連結片１９ａ，１９ｂに設けているアイ９ａ，９ａ・・、９ｂ，９ｂ・・をフロント部１のフック８ａ，８ａ・・、８ｂ、８ｂ・・に係止して連結する。逆に圧迫感が弱過ぎる場合には、内側の連結片１０ａ，１０ｂに設けているアイ９ａ，９ａ・・、９ｂ，９ｂ・・をフロント部１のフック８ａ，８ａ・・８ｂ、８ｂ・・に係止して連結する。
【００２７】
そして、バック部２ａの先端に設けている連結部２０ａには複数のフック(図示なし)が等間隔で取付けられ、他方のバック部２ｂの先端に設けている連結部２０ｂには複数のアイ２１，２１・・が複数列をなして取付けられている。アイ２１，２１・・はフックに係止することで両バック部２ａ，２ｂの先端は背中で連結される。この場合、フックが係止するアイ２１，２１・・の位置は、ブラジャーを着用する際に選ぶことが出来る。
【００２８】
一方、肩ストラップ３ａ，３ｂはカップ部５ａ，５ｂから上方へ延びて設けている連結部２５ａ，２５ｂの先端に一方端のカギ２４が係止し、他方端はバック部２ａ，２ｂの上縁に設けている係止部２２ａ又は２３ａに先端のカギ２４を係止して連結する。肩ストラップ３ａ，３ｂの長さは調整することが出来、着用感が損なわれることはない。
【図面の簡単な説明】
【００２９】
【図１】本発明に係るブラジャーを着用した正面図。
【図２】本発明に係るブラジャーを着用した背面図。
【図３】本発明に係る計測ブラジャーの分解図。
【図４】バック部の詳細図。
【符号の説明】
【００３０】
１  フロント部
２  バック部
３  肩ストラップ
４  カップ受部
５  カップ部
６  バージスライン
７  連結部
８  フック
９  アイ
10  連結片
11  連結片
12  連結片
13  連結片
14  連結片
15  ナンバー生地
16  ナンバー生地
17  ナンバー生地
18  ナンバー生地
19  ナンバー生地
20  連結部
21  アイ
22  係止部
23  係止部
24  カギ
25  連結部
【図１】
2007056423.tif 000003
【図２】
2007056423.tif 000004
【図３】
2007056423.tif 000005
【図４】
2007056423.tif 000006